(57)【要約】【課題】冷蔵庫内で冷蔵物の収納スペースを削減することなく、しかも取り替えを簡単に行うことができる消臭用カードを提供する。【解決手段】消臭用透孔３を設けた表面板２と、メッシュシートからなる裏面板７の間に臭気を吸着消臭する繊維からなる消臭シート４を配置し、表面板５と裏面板７の周囲を熱圧着により融着して消臭用カード１を形成する。消臭シート４は、２枚の白色シート５と２枚の青色シート６からなり、白色シート５の間に青色シート６を配置して４層とする。白色シート５と青色シート６は、異なる臭気に対してそれぞれに吸着消臭機能を有する。【選択図】図６
0003112632.tif 000002
【実用新案登録請求の範囲】
【請求項１】
消臭用透孔を設けた表面板と、メッシュシートからなる裏面板と、異なる臭気に対してそれぞれに吸着消臭機能を有する色の異なる２種類の消臭シートとを備え、前記消臭シートを積層して前記表面板と裏面板との間に配置し、前記表面板と前記裏面板の周囲を熱圧着して封止するとともに、前記熱圧着部の中央に掛止孔を設けたことを特徴とする消臭用カード。
【請求項２】
前記２種類の消臭シートは、２枚の同種シートをこれと異なる同種シートにより挟んで積層した４層からなることを特徴とする請求項１記載の消臭用カード。
【請求項３】
前記２種類の消臭シートは、異なる臭気に対して吸着消臭機能を有する繊維からなる不織布であることを特徴とする請求項１記載の消臭用カード。
【請求項４】
前記表面板および前記裏面板を長方形状とし、前記掛止孔を短辺側および長辺側の中央部に設けあるいはそのいずれか一方に設けたことを特徴とする請求項１記載の消臭用カード。
【考案の詳細な説明】
【技術分野】
【０００１】
本考案は消臭用カードに係り、特に、極めて容易に交換できるとともに交換時期を目視でき、かつ冷蔵物の収納を妨げることなく冷蔵庫内に配置することのできる消臭用カードに関する。
【背景技術】
【０００２】
従来、冷蔵庫用の消臭手段としては、活性炭を通気性の容器に収納した消臭剤が一般的であり、この消臭剤は冷蔵物を置く棚上に配置して利用されている。しかし、この消臭剤は、約３ｃｍ以上の厚みを有する立体形状のため嵩張り、冷蔵物を置く邪魔になるとともに、奥の方に置くと取り替えの際に収納してある冷蔵物を取り出して行わなければならない場合が生じ、取り扱いが不便であった。
【０００３】
また、前記容器の側部に吸盤を取り付け、この吸盤により冷蔵庫の内壁に配置する消臭剤が案出されている（例えば、特許文献１参照。）。しかし、この消臭剤も立体形状をしており、しかも吸盤を取り付けたことで厚みが更に大きくなり、冷蔵物を収納するスペースを少なくする不具合があった。
【０００４】
さらには、活性炭を不織布等により薄手の袋状に形成した柔軟シートに封入して吸着マット材を構成し、この吸着マット材を冷蔵庫内の棚上に配置することでこの上に冷蔵物を置けるようにしたものがある（例えば、特許文献２参照。）。しかし、吸着マット材を交換する際には、置いてある冷蔵物を吸着マット材上から移動する手間が生じ、取り替えに不便があった。
【特許文献１】実開昭６３−１３２２７６号公報
【特許文献２】特開平９−２７６３８８号公報
【考案の開示】
【考案が解決しようとする課題】
【０００５】
本考案はこのような点に鑑みてなされたもので、冷蔵物の収納スペースを削減することなく、しかも取り替えを簡単に行うことができる消臭用カードを提供することを目的とする。
【課題を解決するための手段】
【０００６】
前記目的を達成するために本考案の請求項１の消臭用カードは、消臭用透孔を設けた表面板と、メッシュシートからなる裏面板と、異なる臭気に対してそれぞれに吸着消臭機能を有する色の異なる２種類の消臭シートとを備え、前記消臭シートを積層して前記表面板と裏面板との間に配置し、前記表面板と前記裏面板の周囲を熱圧着して封止するとともに、前記熱圧着部の中央に掛止孔を設けたことを特徴とする。
【０００７】
本考案の請求項２の消臭用カードは、請求項１の消臭用カードにあって、前記２種類の消臭シートは、２枚の同種シートをこれと異なる同種シートにより挟んで積層した４層からなることを特徴とする。
【０００８】
本考案の請求項３の消臭用カードは、請求項１の消臭用カードにあって、前記２種類の消臭シートは、異なる臭気に対して吸着消臭機能を有する繊維からなる不織布であることを特徴とする。
【０００９】
本考案の請求項５の消臭用カードは、前記表面板および前記裏面板を長方形状とし、前記掛止孔を短辺側および長辺側の中央部に設けあるいはそのいずれか一方に設けたことを特徴とする。
【考案の効果】
【００１０】
本考案の消臭用カードは、表面板と裏面板との間に消臭シートを配置して表面板と裏面板を接続したので厚みが薄い形状のカード状に形成することができるとともに、掛止孔に吊下用フックを介して冷蔵庫の扉側に設けた瓶や牛乳パック等の収納部外側に掛けることができる。このため、冷蔵部の収納スペースを削減することがなく、また取り替えが極めて容易に行うことができるとともに、消臭用カードを掛止した状態で扉を閉めたとしても、冷蔵庫の内臓物と当たることがなく、扉の密閉状態を確保することに妨げとならない。また、繊維自体が臭気を吸着消臭するので、冷蔵庫内の食品（肉類や野菜等）に悪影響を与えることがない。さらに、本考案の消臭用カードは、約半年間に亘って消臭能力（効果）を維持した状態で使用することができ、また消臭能力（効果）が弱くなった場合であっても消臭用カードを天日干しすることで消臭効果を２〜３回は回復させることができる。
【考案を実施するための最良の形態】
【００１１】
以下、本考案の実施例を図面とともに説明する。
【実施例１】
【００１２】
図１〜６は本考案の消臭用カードの実施例１を示すもので、図１は正面図、図２は背面図、図３は平面図、図４は右側面図、図５は図１のＡ−Ａ線端面図、図６は図５のａ部拡大図である。
【００１３】
図１において、消臭用カード１の表面板２はＬＢＣ（硬質塩化ビニール）からなり、長方形状に形成されている。この表面板２には多数の消臭用透孔３が形成され、消臭用透孔３を介して臭気の吸収とともに後述する臭気シート４の色状態を目視し得るようになっている。この消臭用透孔３は長さの異なる長孔形状に形成され、上下対称で整列状態に配列されている。なお、消臭用透孔３の形状および配置は、ランダムであっても構わない。
【００１４】
表面板２の裏面側には、図５、６に示すように、セルロース繊維を用いた不織布からなる消臭シート４が配置されている。セルロース繊維はアンモニアやアミン、屎尿臭等の塩基性悪臭物質に対する吸着性に優れており、消臭繊維として作用する。すなわち、天然コットン繊維は、生ものや魚などの気になる臭いを生じるトリメチルアミンの吸着性に優れており、レーヨン繊維は、キムチやヌカ漬けの気になる臭いを生じるメチルメルカプタンおよび生ものや魚などの気になる臭いを生じるトリメチルアミンの吸着性に優れている。
【００１５】
前記消臭シート４は、２枚の白色シート５と２枚の青色シート６からなり、白色シート５の間に２枚の青色シート６が配置されて４層構造となっている。白色シート５は前記表面板２より小さく形成され、青色シート６は白色シート５より小さく形成されている。白色シート５は、天然コットン１００％を素材とした不織布からなり、この白色シート５には多数の孔が形成され、青色シート６による臭気の吸着消臭を阻害せずおよび青色シート６の色状態を目視し得るようになっている。一方、青色シート６は、レーヨン７０％、ポリエステル３０％を素材とした不織布からなり、消臭能力（消臭効果）の減退により青色が退色するようになっている。白色シート５はアンモニア臭、生ものや魚などの臭気を吸着消臭するとともに、青色シート６は硫化水素臭、ニンニク臭、タマゴの腐敗臭、キムチやヌカ漬けおよび生ものや魚などの臭気を吸着消臭する等、白色シート５と青色シート６は異なる臭気を吸着消臭する。すなわち、図７のグラフに示すように、白色シート５はトリメチルアミンを吸着消臭し、青色シート６はトリメチルアミンおよびメチルメルカプタンを吸着消臭する。なお、図７（Ａ）はメチルメルカプタン、図７（Ｂ）はトリメチルアミンに対する消臭性・減少率をそれぞれ表しており、縦軸に濃度、横軸に経過時間をそれぞれ表示している。
【００１６】
前記白色シート５の裏面側には裏面板７が配置されている。この裏面板７はメッシュシートからなり、消臭シート４による臭気の吸着および消臭シート４の色を目視し得るようになっている。裏面板７と表面板２の周囲は、ウェルダー加工により融着されており、内部に前記消臭シート４を封入した長方形状の消臭用カード１が形成されるようになっている。
【００１７】
なお、消臭シート４は、白色シート５を青色シート６により挟んだ場合を説明したが、白色シート５により青色シート６を挟んで構成しても良い。さらには、白色シート５と青色シート６を交互に配置してもよく、この場合には白色シート５あるいは青色シート６を前記表面板２に接するように配置しても構わない。
【００１８】
消臭カード１の一方の短辺側中央部には、前記ウェルダー加工による融着部８の部位中央（本実施例では短辺側の中央部）に掛止孔９が穿設されており、図８に示す吊下用フック１０により、冷蔵庫１１の扉に設けた瓶や牛乳パック等を収納する収納部１２に掛止して収納部１２の外側に位置するようにして消臭用カード１を冷蔵庫１１内に配置し得るようになっている。この消臭用カード１の配置は、冷蔵庫１１内の臭気は上から下へ移動するので、下側の収納部１２に掛止するのが好ましい。
【００１９】
吊下用フック１０は、長方形状の中間部材１３を中心にして上下対称にフック部１４ａ，１４ｂが設けられ、一方のフック部１４ａに例えば消臭用カード１の掛止孔９を掛けた場合には、他方のフック部１４ｂを吊り下げ位置に掛けることができるようになっている。この吊下用フック１０はＴＶＣ（塩化ビニール）で形成され軟質となっており、例えば板状の壁面の上端にフック部１４ｂを掛けたとしても、中間部材１３の作用によりフック部１４ａに掛けた消臭用カード１の裏面板７は上記壁面に対して傾斜状態となって密着せず、消臭能力の低下が起こらないようになっている。また、中間部材１３には、消臭カード１の使用始めの年月日あるいは使用期限である使用始めから半年後の年月日を記入することができ、消臭用カード１の交換時の目安にすることができる。
【００２０】
前記消臭用カード１は、掛止孔９を短辺側の中央部に設けた場合を例示したが、長辺側の中央部に設けても良い。すなわち、冷蔵庫１１内の吊下位置に対応して変更でき、例えば吊下位置が消臭用カード１の長辺より短い場合に長辺を横方向にして対応させることが可能となる。また、掛止孔９は、消臭用カード１の短辺側および長辺側の２箇所に設けてもよい。
【図面の簡単な説明】
【００２１】
【図１】本考案の実施例１を示す正面図である。
【図２】本考案の実施例１を示す背面図である。
【図３】本考案の実施例１を示す平面図である。
【図４】本考案の実施例１を示す右側面図である。
【図５】図１のＡ−Ａ線端面図である。
【図６】図５のａ部拡大図である。
【図７】本考案の実施例１の消臭性・減少率と経時時間を示すグラフである。
【図８】吊下用フックを示す図である。
【図９】本考案の実施例１の吊下位置の一例を示す斜視図である。
【符号の説明】
【００２２】
１    消臭用カード
２    表面板
３    消臭用透孔
４    消臭シート
５    白色シート
６    青色シート
７    裏面板
８    融着部
９    掛止孔
１０  吊下用フック
１１  冷蔵庫
１２  収納部
１３  中間部材
１４ａ，１４ｂ  フック部
【図１】
0003112632.tif 000003
【図２】
0003112632.tif 000004
【図３】
0003112632.tif 000005
【図４】
0003112632.tif 000006
【図５】
0003112632.tif 000007
【図６】
0003112632.tif 000008
【図７】
0003112632.tif 000009
【図８】
0003112632.tif 000010
【図９】
0003112632.tif 000011
【手続補正書】
【提出日】平成17年3月2日(2005.3.2)
【手続補正１】
【補正対象書類名】明細書
【補正対象項目名】００１４
【補正方法】削除
【補正の内容】
【手続補正書】
【提出日】平成17年6月7日(2005.6.7)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】
本考案は消臭用カードに係り、特に、極めて容易に交換できるとともに交換時期を目視でき、かつ冷蔵物の収納を妨げることなく冷蔵庫内に配置することのできる消臭用カードに関する。
【背景技術】
【０００２】
従来、冷蔵庫用の消臭手段としては、活性炭を通気性の容器に収納した消臭剤が一般的であり、この消臭剤は冷蔵物を置く棚上に配置して利用されている。しかし、この消臭剤は、約３ｃｍ以上の厚みを有する立体形状のため嵩張り、冷蔵物を置く邪魔になるとともに、奥の方に置くと取り替えの際に収納してある冷蔵物を取り出して行わなければならない場合が生じ、取り扱いが不便であった。
【０００３】
また、前記容器の側部に吸盤を取り付け、この吸盤により冷蔵庫の内壁に配置する消臭剤が案出されている（例えば、特許文献１参照。）。しかし、この消臭剤も立体形状をしており、しかも吸盤を取り付けたことで厚みが更に大きくなり、冷蔵物を収納するスペースを少なくする不具合があった。
【０００４】
さらには、活性炭を不織布等により薄手の袋状に形成した柔軟シートに封入して吸着マット材を構成し、この吸着マット材を冷蔵庫内の棚上に配置することでこの上に冷蔵物を置けるようにしたものがある（例えば、特許文献２参照。）。しかし、吸着マット材を交換する際には、置いてある冷蔵物を吸着マット材上から移動する手間が生じ、取り替えに不便があった。
【特許文献１】実開昭６３−１３２２７６号公報
【特許文献２】特開平９−２７６３８８号公報
【考案の開示】
【考案が解決しようとする課題】
【０００５】
本考案はこのような点に鑑みてなされたもので、冷蔵物の収納スペースを削減することなく、しかも取り替えを簡単に行うことができる消臭用カードを提供することを目的とする。
【課題を解決するための手段】
【０００６】
前記目的を達成するために本考案の請求項１の消臭用カードは、消臭用透孔を設けた表面板と、メッシュシートからなる裏面板と、異なる臭気に対してそれぞれに吸着消臭機能を有する色の異なる２種類の消臭シートとを備え、前記消臭シートを積層して前記表面板と裏面板との間に配置し、前記表面板と前記裏面板の周囲を熱圧着して封止するとともに、前記熱圧着部の中央に掛止孔を設けたことを特徴とする。
【０００７】
本考案の請求項２の消臭用カードは、請求項１の消臭用カードにあって、前記２種類の消臭シートは、２枚の同種シートをこれと異なる同種シートにより挟んで積層した４層からなることを特徴とする。
【０００８】
本考案の請求項３の消臭用カードは、請求項１の消臭用カードにあって、前記２種類の消臭シートは、異なる臭気に対して吸着消臭機能を有する繊維からなる不織布であることを特徴とする。
【０００９】
本考案の請求項５の消臭用カードは、前記表面板および前記裏面板を長方形状とし、前記掛止孔を短辺側および長辺側の中央部に設けあるいはそのいずれか一方に設けたことを特徴とする。
【考案の効果】
【００１０】
本考案の消臭用カードは、表面板と裏面板との間に消臭シートを配置して表面板と裏面板を接続したので厚みが薄い形状のカード状に形成することができるとともに、掛止孔に吊下用フックを介して冷蔵庫の扉側に設けた瓶や牛乳パック等の収納部外側に掛けることができる。このため、冷蔵部の収納スペースを削減することがなく、また取り替えが極めて容易に行うことができるとともに、消臭用カードを掛止した状態で扉を閉めたとしても、冷蔵庫の内臓物と当たることがなく、扉の密閉状態を確保することに妨げとならない。また、繊維自体が臭気を吸着消臭するので、冷蔵庫内の食品（肉類や野菜等）に悪影響を与えることがない。さらに、本考案の消臭用カードは、約半年間に亘って消臭能力（効果）を維持した状態で使用することができ、また消臭能力（効果）が弱くなった場合であっても消臭用カードを天日干しすることで消臭効果を２〜３回は回復させることができる。
【考案を実施するための最良の形態】
【００１１】
以下、本考案の実施例を図面とともに説明する。
【実施例１】
【００１２】
図１〜６は本考案の消臭用カードの実施例１を示すもので、図１は正面図、図２は背面図、図３は平面図、図４は右側面図、図５は図１のＡ−Ａ線端面図、図６は図５のａ部拡大図である。
【００１３】
図１において、消臭用カード１の表面板２はＬＢＣ（硬質塩化ビニール）からなり、長方形状に形成されている。この表面板２には多数の消臭用透孔３が形成され、消臭用透孔３を介して臭気の吸収とともに後述する臭気シート４の色状態を目視し得るようになっている。この消臭用透孔３は長さの異なる長孔形状に形成され、上下対称で整列状態に配列されている。なお、消臭用透孔３の形状および配置は、ランダムであっても構わない。
【００１４】
前記消臭シート４は、２枚の白色シート５と２枚の青色シート６からなり、白色シート５の間に２枚の青色シート６が配置されて４層構造となっている。白色シート５は前記表面板２より小さく形成され、青色シート６は白色シート５より小さく形成されている。白色シート５は、天然コットン１００％を素材とした不織布からなり、この白色シート５には多数の孔が形成され、青色シート６による臭気の吸着消臭を阻害せずおよび青色シート６の色状態を目視し得るようになっている。一方、青色シート６は、レーヨン７０％、ポリエステル３０％を素材とした不織布からなり、消臭能力（消臭効果）の減退により青色が退色するようになっている。白色シート５はアンモニア臭、生ものや魚などの臭気を吸着消臭するとともに、青色シート６は硫化水素臭、ニンニク臭、タマゴの腐敗臭、キムチやヌカ漬けおよび生ものや魚などの臭気を吸着消臭する等、白色シート５と青色シート６は異なる臭気を吸着消臭する。すなわち、図７のグラフに示すように、白色シート５はトリメチルアミンを吸着消臭し、青色シート６はトリメチルアミンおよびメチルメルカプタンを吸着消臭する。なお、図７（Ａ）はメチルメルカプタン、図７（Ｂ）はトリメチルアミンに対する消臭性・減少率をそれぞれ表しており、縦軸に濃度、横軸に経過時間をそれぞれ表示している。
【００１５】
前記白色シート５の裏面側には裏面板７が配置されている。この裏面板７はメッシュシートからなり、消臭シート４による臭気の吸着および消臭シート４の色を目視し得るようになっている。裏面板７と表面板２の周囲は、ウェルダー加工により融着されており、内部に前記消臭シート４を封入した長方形状の消臭用カード１が形成されるようになっている。
【００１６】
なお、消臭シート４は、白色シート５を青色シート６により挟んだ場合を説明したが、白色シート５により青色シート６を挟んで構成しても良い。さらには、白色シート５と青色シート６を交互に配置してもよく、この場合には白色シート５あるいは青色シート６を前記表面板２に接するように配置しても構わない。
【００１７】
消臭カード１の一方の短辺側中央部には、前記ウェルダー加工による融着部８の部位中央（本実施例では短辺側の中央部）に掛止孔９が穿設されており、図８に示す吊下用フック１０により、冷蔵庫１１の扉に設けた瓶や牛乳パック等を収納する収納部１２に掛止して収納部１２の外側に位置するようにして消臭用カード１を冷蔵庫１１内に配置し得るようになっている。この消臭用カード１の配置は、冷蔵庫１１内の臭気は上から下へ移動するので、下側の収納部１２に掛止するのが好ましい。
【００１８】
吊下用フック１０は、長方形状の中間部材１３を中心にして上下対称にフック部１４ａ，１４ｂが設けられ、一方のフック部１４ａに例えば消臭用カード１の掛止孔９を掛けた場合には、他方のフック部１４ｂを吊り下げ位置に掛けることができるようになっている。この吊下用フック１０はＴＶＣ（塩化ビニール）で形成され軟質となっており、例えば板状の壁面の上端にフック部１４ｂを掛けたとしても、中間部材１３の作用によりフック部１４ａに掛けた消臭用カード１の裏面板７は上記壁面に対して傾斜状態となって密着せず、消臭能力の低下が起こらないようになっている。また、中間部材１３には、消臭カード１の使用始めの年月日あるいは使用期限である使用始めから半年後の年月日を記入することができ、消臭用カード１の交換時の目安にすることができる。
【００１９】
前記消臭用カード１は、掛止孔９を短辺側の中央部に設けた場合を例示したが、長辺側の中央部に設けても良い。すなわち、冷蔵庫１１内の吊下位置に対応して変更でき、例えば吊下位置が消臭用カード１の長辺より短い場合に長辺を横方向にして対応させることが可能となる。また、掛止孔９は、消臭用カード１の短辺側および長辺側の２箇所に設けてもよい。
【図面の簡単な説明】
【００２０】
【図１】本考案の実施例１を示す正面図である。
【図２】本考案の実施例１を示す背面図である。
【図３】本考案の実施例１を示す平面図である。
【図４】本考案の実施例１を示す右側面図である。
【図５】図１のＡ−Ａ線端面図である。
【図６】図５のａ部拡大図である。
【図７】本考案の実施例１の消臭性・減少率と経時時間を示すグラフである。
【図８】吊下用フックを示す図である。
【図９】本考案の実施例１の吊下位置の一例を示す斜視図である。
【符号の説明】
【００２１】
１    消臭用カード
２    表面板
３    消臭用透孔
４    消臭シート
５    白色シート
６    青色シート
７    裏面板
８    融着部
９    掛止孔
１０  吊下用フック
１１  冷蔵庫
１２  収納部
１３  中間部材
１４ａ，１４ｂ  フック部